(57)【要約】【課題】電源の消費電力を極力低減し、電池寿命を効率的に長くすることができる携帯型放送受信装置を提供する。【解決手段】  電池を電源として用いる携帯型放送受信装置において、不揮発性メモリのデータを読み出して出力するブラウザ機能を含むシステム制御部と、前記ブラウザ機能により前記不揮発メモリのデータが読出し表示されているときに、アンテナとチューナへの電源供給を停止する電源制御手段と備える。【選択図】      図１
2006025031.tif 000002
【特許請求の範囲】
【請求項１】
電池を電源として用いる放送受信装置において、
給電が行われるアンテナと、
前記アンテナからの高周波信号が導かれるチューナと、
前記チューナで選局されて導出されたトランスポートストリーム（ＴＳ）及びエレメンタリーストリーム（ＥＳ）の信号を処理するＴＳ及びＥＳデコード部と、
前記ＴＳ及びＥＳデコード部からの放送データをデコードする付加データデコード部と、
前記ＴＳ及びＥＳデコード部からの放送ビデオデータをデコードするビデオデータデコード部と、
前記ＴＳ及びＥＳデコード部からの放送オーディオデータをデコードするオーディオデータデコード部と、
少なくともデコードされた放送データおよび放送ビデオデータを蓄積する不揮発性メモリと、
前記不揮発性メモリのデータを表示のために読み出すブラウザ機能を含むシステム制御部と、
前記ブラウザ機能により前記不揮発メモリのデータが読出し表示されているときに、前記アンテナとチューナへの電源供給を停止する機能を有した電源制御手段と
を具備したことを特徴とする放送受信装置。
【請求項２】
前記ブラウザ機能により前記不揮発メモリから読出し表示されるデータは、
データ放送コンテンツ又は映像放送コンテンツ又はデータ放送コンテンツと映像放送コンテンツの双方のいずれかである
ことを特徴とする放送受信装置。
【請求項３】
前記制御部は、コンテンツ記録予約機能を有し、このコンテンツ予約機能がオンしているときは、上記の前記ブラウザ機能により前記不揮発メモリのデータが読出し表示されているときに、前記アンテナとチューナへの電源供給を継続する手段を含むことを特徴とする請求項１記載の放送受信装置。
【請求項４】
前記電源制御手段は、前記ブラウザ機能により前記不揮発メモリのデータが読出し表示されているときに、ＴＳ及びＥＳデコード部への電源供給を停止する手段をさらに含むことを特徴とする請求項１記載の放送受信装置。
【請求項５】
前記電源制御手段は、前記ブラウザ機能により前記不揮発メモリのデータが読出し表示されているときに、さらにビデオデコーダへの電源供給を停止することを特徴とする請求項４記載の放送受信装置。
【請求項６】
前記電源制御手段は、前記ブラウザ機能により前記不揮発メモリのデータが読出し表示されているときに、さらにオーディオデコーダ、データデコーダへの電源供給を停止することを特徴とする請求項５記載の放送受信装置。
【請求項７】
上記システム制御部は、
前記電源制御手段が、前記アンテナとチューナへの電源供給を停止した状態又は電源供給を継続した状態のいずれか一方に強制的に制御する手段を含むことを特徴する請求項1記載の放送受信装置。
【請求項８】
上記システム制御部は、
前記電源制御手段が前記アンテナとチューナへの電源供給を停止した状態又は電源供給を継続した状態のいずれの状態にあるかを表示させる手段を含むことを特徴とする請求項1記載の放送受信装置。
【請求項９】
上記システム制御部は、
前記電源制御手段が前記アンテナとチューナへの電源供給を停止した状態であっても、定期的に電源供給を行った状態に制御することを特徴とする請求項1記載の放送受信装置。
【請求項１０】
上記電源制御部は、
前記ブラウザ機能により前記不揮発メモリとは異なる別の記録媒体のデータが読出し表示されているときに、前記アンテナとチューナへの電源供給を停止する機能をさらに有したことを特徴とする請求項１記載の放送受信装置。
【発明の詳細な説明】
【技術分野】
【０００１】
この発明は、携帯型放送受信装置に関するものであり、特に電池を電源として使用しているときの電池消耗を抑圧することができるように工夫したものである。
【背景技術】
【０００２】
静止軌道上の放送衛星または通信衛星を利用して、特定の地上サービスエリアに対し映像、音声、データなどの情報を放送する衛星放送システムが実現されている。この放送システムにおいて、モバイル放送も開始され、種々のサービス情報を提供できるようになった。
【０００３】
携帯型放送受信装置は、蓄積型データ放送を受信して放送データの表示を行うことができる。また携帯型放送受信装置は、電源として電池を使用するために、電力消費を抑制することが課題である。電力消費を抑制する方法としては、未使用時には、できるだけユーザ自身が装置の電源をオフすることが慣用である。しかし、装置全体の電源をオフすると、自動受信機能までもカットすることになり、ユーザの使い勝手を向上する上では好ましくない。
【０００４】
そこで、自動的な電源オンオフ機能が望まれるが、携帯型放送受信装置では有効な手段がない。電源を部分的にオンオフする装置として、特許文献１に示すような技術がある。この技術は、ビデオレコーダ内蔵テレビジョン受像機であり、受像機の動作モードをマイクロコンピュータで検知し、ＶＴＲ動作モード（再生中）で必要でないチューナの電源をオフするというものである。
【特許文献１】特開平８−２９８６３６号公報
【発明の開示】
【発明が解決しようとする課題】
【０００５】
しかし、ながら上記文献に示された従来の対策は、ビデオレコーダ内蔵テレビジョン受像機が対象となるものであり、電池を電源として用いる携帯型放送受信装置とは、電源の環境が異なる。電池を電源として用いる携帯型放送受信装置では、電池寿命を長くするためには、さらに緻密で効果的な制御が必要である。
【０００６】
そこでこの発明は、電源の消費電力を極力低減し、電池寿命を効率的に長くすることができる携帯型放送受信装置を提供することを目的とする。
【課題を解決するための手段】
【０００７】
この発明は、電池を電源として用いる携帯型放送受信装置であり、給電が行われるアンテナと、前記アンテナからの高周波信号が導かれるチューナと、前記チューナで選局されて導出されたトランスポートストリーム及びエレメンタリーストリームの信号を処理するＴＳ及びＥＳデコード部と、前記ＴＳ及びＥＳデコード部からの放送データをデコードする付加データデコード部と、前記ＴＳ及びＥＳデコード部からの放送ビデオデータをデコードするビデオデータデコード部と、前記ＴＳ及びＥＳデコード部からの放送オーディオデータをデコードするオーディオデータデコード部と、少なくともデコードされた放送データおよび放送ビデオデータを蓄積する不揮発性メモリと、前記不揮発性メモリのデータを読み出して表示出力するための制御を行うブラウザ機能を含むシステム制御部とを有する。そして特に前記ブラウザ機能により前記不揮発メモリのデータが読出し表示されているときに、前記アンテナとチューナへの電源供給を停止する電源制御手段を備えるものである。
【発明の効果】
【０００８】
上記の手段によると、ブラウザ機能の動作時は、チューナ単独の他に電力消耗が行われるアンテナへの給電を停止させ節電を行い、電力消耗をより小さく抑えることができる。
【発明を実施するための最良の形態】
【０００９】
以下、この発明の実施の形態を図面を参照して説明する。図１には、この発明が適用された携帯型放送受信装置の全体的な機能ブロック構成を示している。
【００１０】
アンテナ１１で受けられた高周波信号はチューナ１２に導かれる。チューナ１２は、制御部４０からの選局信号で1つのチャンネルであるトランスポートストリーム（以下ＴＳと略する）を選択する。このＴＳは、ＴＳ及びＥＳデコード部１４に導入される。このＴＳ及びＥＳデコード部１４では、トランスポートストリームの中の番組に相当するエレメントリーストリーム（以下ＥＳと略する）が選択される。ＴＳは、複数のＥＳを含んで伝送されているからである。ＥＳの選択、所謂番組選択も制御部４０からの番組選択情報に基づいて選択される。
【００１１】
制御部４０は、キー入力処理部４１からの選択キー情報を受け取り、上記のＴＳ選局、ＥＳ選択を行うことができる。キー入力処理部４１は、ユーザ操作に応答する部分である。
【００１２】
上記のＴＳ及びＥＳデコード部１４で分離されたオーディオデータは、オーディオデコーダ１５に入力されて、デコード処理される。オーディオデータは、圧縮処理されているために、その伸長処理が行われると共に、またデジタルアナログ変換処理が行われる。リニアＰＣＭのデータの場合は、リニアＰＣＭ復元処理が行われる。オーディオデコーダ１５の出力は、スピーカ１６に供給される。
【００１３】
また、放送された放送データは、データデコーダ１７に入力されて、例えばビットマップ方式のデコード処理を受ける。さらにまたビデオデータは、ビデオデコーダ１８に入力されて、例えばＭＰＥＧ４方式によりデコードされる。
【００１４】
データデコーダ１７で得られたデータは、蓄積のために不揮発性メモリ３１に供給される。また、ビデオデコーダ１８で得られた復調ビデオも、不揮発性メモリ３１に入力される。
【００１５】
不揮発性メモリ３１は、制御部４０により制御され、蓄積されている蓄積データが読み出される。不揮発性メモリ３１から出力されたデータは、映像出力処理部１９で表示装置２０に整合した映像信号となり、表示装置２０に出力される。表示装置２０としては、液晶表示装置、発光素子を用いたＦＥＤなどがある。
【００１６】
図示していないが、デコードされたオーディオデータも不揮発性メモリ３１に蓄積されてもよいことは勿論である。またビデオデコーダ１８の出力が直接映像出力処理部１９に供給されてもよい。
【００１７】
不揮発性メモリ３１に蓄積されたビデオデータは、リアルタイム再生モードでは、順次読み出されて、表示装置２０及に供給される。この表示の間、順次番組が受信されてデコードされ、新規で更新すべきデータが、不揮発性メモリ３１に蓄積される。この動作についてはさらに後述する。
【００１８】
５０は、電源回路であり、この電源回路５０は、電池５１からの電力を各部に対して適切な電位に変換している。電源回路５０の出力電圧は、対応するブロックに供給される。ここで、電源回路５０から得られる電力は、チューナ１２及びアンテナ１１にも給電されている。電源回路５０には、ＡＣ電源５２を接続することもできるが、これは例えば充電などを行う場合である。
【００１９】
図２は、上記の装置の動作の一例を説明するためのフローチャートである。このフローチャートは、特に本発明装置の特徴を説明できるように示している。
【００２０】
メイン電源スイッチがオンされると、アンテナ１１、チューナ１２その他の個所に給電が行われ、次のキー入力待ち状態となる（ステップＳ１，Ｓ２）。キー入力があると、処理内容が判定される（ステップＳ３）。今、処理内容が「選局」であったとすると、チューナ１２の選局動作が実行される（ステップＳ４）。これにより１つのＴＳが得られる。ＴＳの中に、コンテンツ（データ放送ＥＳがあるかどうか）のチェックが行われる。コンテンツがある場合には、データ放送コンテンツの蓄積が開始される、つまり不揮発性メモリ３１への蓄積が開始される（ステップＳ７）。データ放送コンテンツがない場合及びステップＳ７の処理に続いて、選択されたビデオＥＳ処理が実行され、動画ビデオの再生処理が開始される（ステップＳ８）。このステップＳ８に移った段階で、キー入力待ち状態となる（ステップＳ９）。キー入力待ち状態では、順次受信データ及びビデオが、不揮発性メモリ３１に蓄積されるとともに、蓄積されてまとまったデータは映像出力処理部１９を介して表示される。
【００２１】
今、ステップＳ９でキー入力があったとすると、キー入力情報が判定される（ステップＳ１０）。ここで、サービスの切り替えが指示されたのか、そうでないかの判別が行われる。サービスの切り替えは、例えば、ブラウザ表示モードに移行する場合である。またサービスの切り替えでない場合は、例えば、ビデオＥＳの切り替えである。ビデオＥＳの切り替えの場合には、ステップＳ８に戻る。
【００２２】
サービスの切り替えの場合（例えばブラウザによる表示モードが指示された場合）は、動画再生処理を終了し（ステップＳ１１）、データコンテンツ蓄積処理を終了し（ステップＳ１２）、ＴＳ処理・動画再生処理を終了し（ステップＳ１３）、更にチューナ１２の選局処理も終了する（ステップＳ１４）。
【００２３】
ステップＳ３にもどると、現在は、例えば蓄積データ放送のコンテンツ再生が要求されていることが判明する。すると、制御部４０は、チューナ１２及びアンテナ１１への給電をオフ、つまり電源をオフする（ステップＳ１５）。次に、データ放送ブラウザを起動し（ステップＳ１６）、蓄積型データ放送コンテンツのブラウズ処理に移行する（ステップＳ１７）。このときは不揮発性メモリ３１のデータが読み出されて表示される。例えば蓄積されたデータ放送コンテンツを読み出して、言語処理、ビットマップデータを作成し、映像出力処理部１９に送ることで、ブラウズ処理が行われる。この処理に移ると、同時にキー入力待ちの状態となる（ステップＳ１８）。
【００２４】
キー入力がない限り、チューナ及びアンテナの電源がオフされた状態で、ブラウズ処理が続けられる。ここでキー入力があると、ブラウズ処理関係のキーが操作されたのか否かの判断が行われる（ステップＳ１９）。ブラウズ処理関係のキー操作としては、例えば、質問に対する応答処理、選択処理などである。ブラウザ処理関係のキー操作でない場合、アンテナ１１及びチューナ１２に対する電源の供給が開始されて（ステップＳ２０）、ブラウズ処理が終了し（ステップＳ２１）、ステップＳ３に戻る。
【００２５】
上記のように本装置によると、携帯型放送端末において、蓄積型コンテンツの閲覧中にチューナ及びアンテナの電源をオフする。これにより消費電力の低減が得られ、ひいてはモバイル環境で使用する際に、バッテリー駆動時間の増大を得ることができる。
【００２６】
上記の説明では、蓄積型データ放送コンテンツ閲覧中にチューナ及びアンテナの電源をオフするとしたが、これに限らず蓄積型映像コンテンツ閲覧中にチューナ及びアンテナの電源をオフすることも本発明の範疇である。
【００２７】
またこの発明では、次のような機能を備えられている。つまり、制御部４０に対してコンテンツ記録予約機能を設け、この機能をオンオフできるようにしている。このコンテンツ記録予約機能をオンした場合、いずれのＥＳを蓄積するのかを設定するための要求が制御部４０から表示装置２０を通じて出される。ユーザはこの要求に応じて、ＥＳを設定する。
【００２８】
このコンテンツ記録予約機能がオンしているときに、上記のブラウズ機能が動作する場合には、制御部４０の判断により、アンテナ及びチューナの電源は電源のオンオフ回路を通じてオン状態を維持される。
【００２９】
この発明は上記の実施形態に限定されるものではない。受信装置の機能ブロックの設計にもよるが、ＴＳ／ＴＥデコード部１４が独立したチップで構成されているときは、制御部４０の電源制御手段は、ブラウザ機能により前記不揮発メモリのデータが読出し表示されているときに、さらにＴＳ／ＴＥデコード部１４への電源供給を停止するようにしてもよい。
【００３０】
また、オーディオデコーダ１５、ビデオデコーダ１８、データデコーダ１７が夫々独立したブロックで構成され、電源をそれぞれに供給する構成であれば、ブラウザ機能により前記不揮発メモリのデータが読出し表示されているときに、各デコーダの電源を個々にオフ制御するようにしてもよい。
【００３１】
この発明は、上記の実施形態に限定されるものではない。アンテナ１１及びチューナ１２に対して、電源オンオフ動作を実行するか否かを選択できるようにしてもよい。「電源オンオフ動作を実行させない」という選択を行えば、第1の実施形態のようにブラウジング中でも電源オフを行わないのである。逆に「電源オンオフ動作を実行する」という選択を行えば、上述した実施形態のようにブラウジング中には、電源オフを行う。つまり強制的に節電モードを禁止する機能を設けている。
【００３２】
この機能を設けることで、ブラウジング中で映像に関連する放送中のオーディオも聞くことができる。
【００３３】
さらにまたこの発明では、ブラウザ機能を起動するときに、アンテナ１１及びチューナ１２に対して、電源オンオフ動作を実行するか否かを選択できるようにしてもよい。例えば、キー入力処理部４１に、ブラウザ機能を動作させるための操作キーが存在する。ここで、例えば、そのキー操作前、或はキー操作後のメッセージにより、電力節約動作を行うか否かを選択できるように構成される。例えば節電キーが設けられ、この節電キーを、ブラウザ機能を起動するとき又は起動した直後に、操作できるようにしてもよい。ブラウザ機能の動作に伴って、節電モードを動作可にするか否かを設定できるのである。
【００３４】
図３には、上記の機能を実現できる判定処理フローの例を示している。ブラウジング動作（ステップＳＡ１）中で、強制的に節電モードが禁止されていると、アンテナ・チューナの電源をオフすることなくブラウジングが継続される（ステップＳＡ１，ＳＡ２，ＳＡ１のループ）。しかし節電モードが設定されていれば、アンテナ・チューナ電源のオフが行われる（ステップＳＡ３）。ブラウザに関係ない別のキー例えば選局などの操作が行われると（ステップＳＡ４）、別の処理系統へ移行する。
【００３５】
この発明はさらに次のような実施の形態を含んでもよい。ブラウジング中において、視聴しているコンテンツの主体に応じて、自動的に、アンテナ１１及びチューナ１２に対する電源オン又はオフ動作が選択されるのである。不揮発性メモリ３１から読み出されている映像データが主体の場合は、電力節約のためにアンテナへの電源オフが実行される。しかし、オーディオデータが主体の場合は、アンテナ１１及びチューナ１２に対する電源オンが維持されるのである。この場合、オーディオデータが不揮発性メモリ３１あるいはバッファメモリ（図示せず）から読み出されてスピーカ１６から音声として出力される。ここで、映像とオーディオとのいずれが主体であるかを判断する必要がある。これは、番組毎に、ユーザが設定してもよいし、あるいは番組毎に主体となるコンテンツの識別情報が送られていれば、この識別情報に基づいて電源オンオフが任意に実行されるようにしてもよい。
【００３６】
図４には上記の機能を実現できる判定処理フローの例を示している。ブラウジング動作（ステップＳＢ１）中で、このブラウジングが映像主体であるのか音声主体であるのかの判定が行われる（ステップＳＢ２）。音声主体であれば、アンテナ・チューナの電源をオフすることなくブラウジングが継続される（ステップＳＢ１，ＳＢ２，ＳＢ１のループ）。しかし映像主体であれば、アンテナ・チューナ電源のオフが行われる（ステップＳＢ３）。ブラウザに関係ない別のキー例えば選局などの操作が行われると（ステップＳＢ４）、別の処理系統へ移行する。
【００３７】
この発明は、上記の実施形態に限るものではない。図５には、携帯型放送受信装置の全体概要を示している。アンテナ１１及びチューナ１２に対する電源オン又はオフ状態が、表示装置２０の表示部２０１あるいは装置に設けられた発光素子２０２などのアイコンで識別できるようにしてもよい（図５参照）。この識別が可能であると、ユーザは、節電モードを確認することができるし、また強制的にスイッチを操作して電源オンにすることも可能である。
【００３８】
この発明は、さらにまた次のような実施の形態を含むものである。今、ブラウジング中でありアンテナ１１及びチューナ１２に対する電源オフ状態であるとする。ここで、表示画像の内容に応答して、ユーザがキー操作を行ったとする。そしてこのキー操作に基づく処理は、新しくデータを受信しなければならない状況であったとする。例えば、ブラウジング機能を利用してゲーム処理が行われている環境において、第1ゲームが終了し、次の段階の第2ゲームに続くような状況となった場合である。このような場合は、第1ゲームが終了する前に、アンテナ１１及びチューナ１２に対する電源をオン状態にし、新しい第2ゲームの放送データを取得する必要がある。したがって、このような場合に対処するために、ブラウジング中で節電状態であっても、データ処理内容に応じて、自動的にアンテナ１１及びチューナ１２に対する電源をオン状態にする機能が用意されている。
【００３９】
図６には、上記の機能を実現できる判定処理フローの例を示している。ブラウジング動作（ステップＳＣ１）中で、このデータ処理内容が受信を必要とするかどうかの判定が行われる（ステップＳＣ２）。受信を要する場合には、アンテナ・チューナの電源をオンして（ステップＳＣ２）、ステップＳＣ１に戻る。
【００４０】
受信を必要としない場合には、ステップＳＣ４で、ブラウザに関係ないキー操作が合ったかどうかをチェックして、なければ、ステップＳＣ１に戻る。ステップＳＣ１，ＳＣ２，ＳＣ４、ＳＣ１の経路では節電が実行される。
【００４１】
上記した説明は、ブラウジング動作が不揮発性メモリ３１からのデータを読み出すことで実行されるとして説明した。しかしこれに限らず、別の半導体メモリ、リムーバブルなメモリなど他の記録媒体３１Ａ（図５参照）からデータを読み出してブラウジング動作を行っても良いことは勿論である。このような場合も、上述した各種に実施形態による節電が行われても良く、このことは本発明の範疇である。
【００４２】
更にまたこの発明では、以下の機能を備えてもよい。即ち、ブラウジング中は、節電モードとなり、アンテナ１１及びチューナ１２に対する電源がオフ状態になるとした。しかしながら、定期的にアンテナ１１及びチューナ１２に対する電源をオンし、緊急放送はないかどうかをチェックできるようにしてもよい。さらには、予めユーザが設定したあるいは予約した放送番組が到来しているかどうかをチェックできるようにしてもよい。
【００４３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４４】
【図１】本発明が適用された携帯型放送受信装置の機能ブロックを示す説明図。
【図２】図１に示した装置の動作例を説明するために示したフローチャート。
【図３】図１に示した装置の他の動作例を説明するために示したフローチャート。
【図４】図１に示した装置の更にまた他の動作例を説明するために示したフローチャート。
【図５】携帯型放送受信装置の全体的な外観の例を説明するための図。
【図６】図１に示した装置のまた他の動作例を説明するために示したフローチャート。
【符号の説明】
【００４５】
１１…アンテナ、１２…チューナ、１４…ＴＳ／ＴＥデコード部、１５…オーディオデコーダ、１６…スピーカ、１７…データデコーダ、１８…ビデオデコーダ、３１…不揮発性メモリ、４０…制御部、４１…キー入力処理部。
【図１】
2006025031.tif 000003
【図２】
2006025031.tif 000004
【図３】
2006025031.tif 000005
【図４】
2006025031.tif 000006
【図５】
2006025031.tif 000007
【図６】
2006025031.tif 000008